(57)【要約】【課題】電子ディスプレイを用いた画像表示器のドット抜けを目視確認し易い遊技機を提供する。【解決手段】画像表示器１０の画像表示部１４の正面側を移動可能な遮蔽部３７を配設し、所定契機で、遮蔽部３７の一端部３７ａで画像表示部１４を一側から他側に亘って遮蔽しつつ、当該一端部３７ａによって遮蔽された領域から退避する方向に遮蔽部３７を所定の速度で移動させるとともに、画像表示部１４の、遮蔽部３７の一端部３７ａが退避した後の領域に、画像表示部１４の一側から他側に亘る所定色の単色画像５１が表れるようにする。【選択図】図６
2020025738.tif 000002
【特許請求の範囲】
【請求項１】
電子ディスプレイにより画像表示部に画像を表示する画像表示器と、
前記画像表示部に表示する画像を制御する表示制御手段と、
前記画像表示部の正面側を移動可能に配設された遮蔽部と、
前記遮蔽部を移動させる遮蔽部移動装置と、
前記遮蔽部移動装置を制御する遮蔽部制御手段と
を備え、
所定契機で、
前記遮蔽部制御手段が、前記遮蔽部の一端部で前記画像表示部を一側から他側に亘って遮蔽しつつ、当該一端部によって遮蔽された領域から前記遮蔽部が退避する方向に、前記遮蔽部を所定の速度で移動させる処理を実行するとともに、
前記表示制御手段が、前記画像表示部の、前記遮蔽部の前記一端部が退避した後の領域に、前記画像表示部の前記一側から前記他側に亘る所定色の単色画像が表れるように制御する処理を実行することを特徴とする遊技機。
【請求項２】
前記表示制御手段は、前記単色画像を、前記遮蔽部の移動方向に対して一定の幅寸法で、前記遮蔽部の前記一端部に追従するように移動表示する処理を実行することを特徴とする請求項１に記載の遊技機。
【請求項３】
前記表示制御手段は、前記所定契機で、前記画像表示部の、前記単色画像を移動表示した後の領域に、前記所定色とは異なる色の単色画像を表示する処理を実行することを特徴とする請求項２に記載の遊技機。
【請求項４】
電子ディスプレイにより画像表示部に画像を表示する画像表示器と、
前記画像表示部に表示する画像を制御する表示制御手段と、
前記画像表示部の正面側に配設された遮蔽部と、
前記画像表示器を前記遮蔽部の背面側で移動させる表示器移動装置と、
前記表示器移動装置を制御する表示器移動制御手段と
を備え、
所定契機で、
前記表示器移動制御手段が、前記遮蔽部の一端部によって前記画像表示部が一側から他側に亘って遮蔽されつつ、当該一端部によって遮蔽された領域が前記遮蔽部から退避するように、前記画像表示器を所定の速度で移動させる処理を実行するとともに、
前記表示制御手段が、前記画像表示部の、前記遮蔽部の前記一端部から退避した後の領域に、前記画像表示部の前記一側から前記他側に亘る所定色の単色画像が表れるように制御する処理を実行することを特徴とする遊技機。
【請求項５】
電子ディスプレイにより画像表示部に画像を表示する画像表示器と、
前記画像表示部に表示する画像を制御する表示制御手段と、
前記画像表示器を移動させる表示器移動装置と、
前記表示器移動装置を制御する表示器移動制御手段と
を備え、
所定契機で、
前記表示制御手段が、前記画像表示部に所定色の単色画像を表示しつつ、前記単色画像の境界線が、前記画像表示部において所定の速度で移動するように表示する処理を実行するとともに、
前記表示器移動制御手段が、前記画像表示器を、前記境界線の移動方向と逆方向に、前記所定の速度で移動させる処理を実行することを特徴とする遊技機。
【発明の詳細な説明】
【技術分野】
【０００１】
本発明は、電子ディスプレイにより画像を表示する画像表示器を備える遊技機に関する。
【背景技術】
【０００２】
スロットマシン等の遊技機には、液晶ディスプレイや有機ＥＬディスプレイ等の電子ディスプレイによって構成される画像表示器が配設され、遊技の進行に合わせて、画像表示器の画像表示部に様々な画像が表示される。こうした電子ディスプレイには、「ドット抜け」と呼ばれる画素単位の発光異常が発生する。こうしたドット抜けは製造段階で検査されて、ドット抜けが目立つものは不良品として処理されるため、出荷時点で深刻なドット抜けが存在する電子ディスプレイは稀である。しかしながら、経年変化により深刻なドット抜けが発生する場合がある。このように、電子ディスプレイに深刻なドット抜けが発生している遊技機では、画像が適切に表示されず、遊技者の不興を買うおそれがあるため、遊技場のスタッフができるだけ早く発見する必要がある。
【０００３】
しかしながらドット抜けは、電子ディスプレイの電源が落ちている状態では判別困難であり、また、表示画像によっては全く目立たない場合もある。このため、遊技場のスタッフがドット抜けを確認し易いように、画像表示部に全ての画素を単一色（白色等）で表示する遊技機が提案されている（例えば、特許文献１）。
【先行技術文献】
【特許文献】
【０００４】
【特許文献１】特許第６２８６７００号公報
【発明の概要】
【発明が解決しようとする課題】
【０００５】
上記特許文献１の遊技機では、ドット抜けを目視確認するために、画像表示器の画像表示部の全域に白一色の画像を表示している。この時、遊技場のスタッフは、画像表示部の全域を同時に注視するのは困難であるため、画像表示部の各所を順番に注視して、ドット抜けの有無を確認することとなるが、画像表示部に表示される画像は単色で何の目印もないため、一部の領域について注意が行き渡らず、ドット抜けの画素を見落とすおそれがある。また、一部の領域については、重複確認してしまい、確認に時間を要することもある。
【０００６】
本発明は、かかる現状に鑑みて為されたものであり、従来構成に比べて電子ディスプレイを用いた画像表示器のドット抜けを目視確認し易い遊技機の提供を目的とする。
【課題を解決するための手段】
【０００７】
本発明は、電子ディスプレイにより画像表示部に画像を表示する画像表示器と、前記画像表示部に表示する画像を制御する表示制御手段と、前記画像表示部の正面側を移動可能に配設された遮蔽部と、前記遮蔽部を移動させる遮蔽部移動装置と、前記遮蔽部移動装置を制御する遮蔽部制御手段とを備え、所定契機で、前記遮蔽部制御手段が、前記遮蔽部の一端部で前記画像表示部を一側から他側に亘って遮蔽しつつ、当該一端部によって遮蔽された領域から前記遮蔽部が退避する方向に、前記遮蔽部を所定の速度で移動させる処理を実行するとともに、前記表示制御手段が、前記画像表示部の、前記遮蔽部の前記一端部が退避した後の領域に、前記画像表示部の前記一側から前記他側に亘る所定色の単色画像が表れるように制御する処理を実行することを特徴とする遊技機である。なお、「所定色の単色画像」とは、各画素の色を所定色一色に制御する画像である。
【０００８】
かかる構成にあっては、遮蔽部の一端部が退避した後の領域に単色画像が表示されるため、ドット抜けを目視確認する際には、遮蔽部の退避後の領域を注視して、当該領域の単色画像でドット抜けの有無を確認していくことで、見落としを低減でき、また、確認部位の重複も防止可能となる。特に、本発明では、検査者は、遮蔽部を目印として注視すべき領域を特定できるため、注視すべき範囲を正確に把握できるという利点がある。また、かかる構成では、ドット抜けの画素が、遮蔽部の背面側から、検査者が注視する領域に突然表れることとなるため、ドット抜けの画素が、検査者の目に止まりやすく、見落とされ難いという利点がある。
【０００９】
本発明にあっては、前記表示制御手段は、前記単色画像を、前記遮蔽部の移動方向に対して一定の幅寸法で、前記遮蔽部の前記一端部に追従するように移動表示する処理を実行することが提案される。かかる構成では、遮蔽部の端部に追従する一定幅の単色画像を、ドット抜けの有無を確認する領域として設定すれば、検査者は、画像表示部において注視すべき範囲をより確実に把握可能となるため、ドット抜けの画素の見落としや、確認部位の重複をより確実に防止可能となる。
【００１０】
また、上記構成とした場合には、前記表示制御手段は、前記所定契機で、前記画像表示部の、前記単色画像を移動表示した後の領域に、前記所定色とは異なる色の単色画像を表示する処理を実行することが提案される。
【００１１】
一種類の色の単色画像を目視確認するだけでは、全てのパターンのドット抜けを発見することはできないが、かかる構成とすれば、異なる色の二種類の単色画像を一度に確認することで、多様なパターンのドット抜けを効率的に発見可能となる。
【００１２】
また、本発明の別の態様として、電子ディスプレイにより画像表示部に画像を表示する画像表示器と、前記画像表示部に表示する画像を制御する表示制御手段と、前記画像表示部の正面側に配設された遮蔽部と、前記画像表示器を前記遮蔽部の背面側で移動させる表示器移動装置と、前記表示器移動装置を制御する表示器移動制御手段とを備え、所定契機で、前記表示器移動制御手段が、前記遮蔽部の一端部によって前記画像表示部が一側から他側に亘って遮蔽されつつ、当該一端部によって遮蔽された領域が前記遮蔽部から退避するように、前記画像表示器を所定の速度で移動させる処理を実行するとともに、前記表示制御手段が、前記画像表示部の、前記遮蔽部の前記一端部から退避した後の領域に、前記画像表示部の前記一側から前記他側に亘る所定色の単色画像が表れるように制御する処理を実行することを特徴とする遊技機が提案される。
【００１３】
すなわち、かかる構成は、上記発明における遮蔽部の移動制御に替えて、画像表示器の移動制御を行うことにより、画像表示部に対して遮蔽部を相対移動させるよう構成したものである。したがって、かかる構成にあっては、ドット抜けを目視確認する際には、画像表示部の、遮蔽部の端部から退避した後の領域を注視して、当該領域の単色画像においてドット抜けの有無を確認していくことで、上記発明と同様の効果が得ることができる。特に、本構成では、遮蔽部が移動しないため、検査者が注視すべき遮蔽部の端部付近の領域は、常に遊技機正面の一定位置となる。このため、かかる構成とすれば、画像表示部のドット抜けを、視点を動かさずに目視確認可能となる。
【００１４】
また、本発明の別の態様として、電子ディスプレイにより画像表示部に画像を表示する画像表示器と、前記画像表示部に表示する画像を制御する表示制御手段と、前記画像表示器を移動させる表示器移動装置と、前記表示器移動装置を制御する表示器移動制御手段とを備え、所定契機で、前記表示制御手段が、前記画像表示部に所定色の単色画像を表示しつつ、前記単色画像の境界線が、前記画像表示部において所定の速度で移動するように表示する処理を実行するとともに、前記表示器移動制御手段が、前記画像表示器を、前記境界線の移動方向と逆方向に、前記所定の速度で移動させる処理を実行することを特徴とする遊技機が提案される。
【００１５】
かかる構成にあっては、単色画像の境界線が画像表示部内を移動するため、画像表示部のドット抜けを目視確認する際には、当該境界線付近の単色画像を注視して、当該境界線の画像表示部内の移動に追従するようにドット抜けの有無を順次確認していくことで、見落としを低減でき、また、確認部位の重複も防止可能となる。また、かかる構成にあっては、画像表示部における単色画像の境界線の移動を打ち消すように、画像表示器が逆方向に移動するため、注視すべき境界線付近の単色画像は、常に遊技機正面の一定位置となる。このため、かかる構成とすれば、画像表示部のドット抜けを、視点を動かさずに目視確認可能となる。
【図面の簡単な説明】
【００１６】
【図１】実施例１のスロットマシン１の正面図である。
【図２】実施例１のスロットマシン１の上部拡大正面図であり、（ａ）は遮蔽部材３５が左方位置Ｐにある状態を示し、（ｂ）は遮蔽部材３５が左方位置Ｐと右方位置Ｑの中間にある状態を示し、（ｃ）は遮蔽部材３５が右方位置Ｑにある状態を示す。
【図３】実施例１のスロットマシン１の制御回路を示すブロック図である。
【図４】実施例１に係る画素チェック演出の演出内容を示す説明図である。
【図５】図４から続く、画素チェック演出の演出内容を示す説明図である。
【図６】画素チェック演出におけるドット抜けのチェック態様を示す説明図である。
【図７】実施例２に係る画素チェック演出の演出内容を示す説明図である。
【図８】実施例２に係る画素チェック演出におけるドット抜けのチェック態様を示す説明図である。
【図９】実施例３に係る画素チェック演出の演出内容を示す説明図である。
【図１０】実施例３に係る画素チェック演出におけるドット抜けのチェック態様を示す説明図である。
【図１１】実施例４のスロットマシン１ａの正面図である。
【図１２】実施例４のスロットマシン１ａの上部拡大正面図であり、（ａ）は画像表示器１０が上方位置Ｒにある状態を示し、（ｂ）は画像表示器１０が上方位置Ｒと下方位置Ｓの中間にある状態を示し、（ｃ）は画像表示器１０が下方位置Ｓにある状態を示す。
【図１３】実施例４に係る画素チェック演出の演出内容を示す説明図である。
【図１４】実施例４に係る画素チェック演出におけるドット抜けのチェック態様を示す説明図である。
【図１５】実施例５に係る画素チェック演出の演出内容を示す説明図である。
【図１６】図１５から続く、実施例５に係る画素チェック演出の演出内容を示す説明図である。
【図１７】実施例５に係る画素チェック演出におけるドット抜けのチェック態様を示す説明図である。
【発明を実施するための形態】
【００１７】
本発明をスロットマシンに適用した実施形態を、以下の実施例に従って説明する。
なお、下記実施例にあって、本発明に係る電子ディスプレイは液晶表示モジュール１５に相当する。また、本発明に係る所定契機は、デモ演出のインターバルにおける画素チェック演出の実行時に相当する。また、以下の説明において、スロットマシン１の「正面側」とは、スロットマシン１の「手前側」であり、スロットマシン１の「左側」、「右側」とは、スロットマシン１を手前側から見た場合の「左側」、「右側」である。
【実施例１】
【００１８】
図１に示すように、本実施例のスロットマシン１の筐体２は、前扉３によって正面側の開口部を覆われている。前扉３の中央部には、筐体２の内部に配設された３つのリール９を視認するための表示窓４が設けられる。そして、前扉３の正面側には、表示窓４の下方に、遊技操作に用いるベットスイッチ５ａ，５ｂ、スタートスイッチ６、ストップスイッチ７、精算スイッチ８などの操作スイッチと、演出に用いる演出ボタンユニット１３が配設される。
【００１９】
図２に示すように、前扉３の上部には、上部装飾パネル３４が装着され、上部装飾パネル３４の中央部に画像表示器１０が配設されている。画像表示器１０は、液晶表示モジュール１５の外周部に矩形の枠体１６を組み付けてなるものであり、液晶表示モジュール１５の表示画面の外周部を枠体１６によって遮蔽することにより、枠体１６に囲繞された正面視横長矩形状の画像表示部１４が設けられている。
【００２０】
また、図２に示すように、上部装飾パネル３４には、遮蔽部材３５が配設される。遮蔽部材３５は、不透明の樹脂成形品からなるものであり、上部装飾パネル３４の正面側に位置する正面視縦長矩形状の遮蔽部３７と、遮蔽部３７の上端部及び下端部で、上部装飾パネル３４に形成された摺動溝３６に沿って摺動可能に嵌合する摺動端部３８とで構成される。摺動溝３６は、画像表示部１４の上下両側に、左右方向に形成されており、遮蔽部材３５は、摺動溝３６に沿って左右に移動可能に保持されることにより、遮蔽部３７が画像表示部１４の左方に退避する左方位置Ｐから、遮蔽部３７が画像表示部１４の正面側を水平移動して、画像表示部１４の右方に退避することとなる右方位置Ｑまで移動可能となっている。図２に示すように、遮蔽部３７の縦幅は、画像表示部１４よりも長く、横幅は画像表示部１４の１／８程度であり、左方位置Ｐと右方位置Ｑとの間では、遮蔽部３７が、画像表示部１４の横幅の１／８程度の領域を、上下に亘って遮蔽することとなる。また、上部装飾パネル３４の背面側には、遮蔽部材３５を摺動溝３６に沿って移動させる遮蔽部移動装置４０が配設される。遮蔽部移動装置４０は、ボールねじとリニアガイドとサーボモータとを具備してなるボールねじアクチュエータであり、上部装飾パネル３４の背面側で、上端側の摺動端部３８を左右に動かすことにより、遮蔽部材３５を左方位置Ｐと右方位置Ｑの間で移動させ、左方位置Ｐと右方位置Ｑの間の任意の位置で保持する。
【００２１】
次に、スロットマシン１の作動を制御する制御回路を、図３を参照して説明する。
メイン制御装置２０は、ＣＰＵ、ＲＡＭ、ＲＯＭ等を配設したプリント基板によって構成されるものであり、主に遊技の進行に関する制御を実行する。メイン制御装置２０の入力ポートには、電源ボックス１８、投入センサ２４、ベットスイッチ５ａ，５ｂ、スタートスイッチ６、ストップスイッチ７、精算スイッチ８、設定変更スイッチ２５が接続される。また、メイン制御装置２０の出力ポートには、リール９、ホッパーユニット１９、外部端子板２６、サブ制御装置２１が接続される。
【００２２】
電源ボックス１８は、スロットマシン１の各機器に電力を供給するためのものであり、電源のＯＮ／ＯＦＦを切り替えるための電源スイッチ２８と、各役への当選確率を変更（いわゆる設定変更）するための設定キースイッチ２９とを備えている。
【００２３】
投入センサ２４は、スロットマシン１に投入されたメダルを検出するものである。投入センサ２４は、前扉３の裏側に備えられたメダルセレクタ（図示省略）のメダル通路に配設され、メダル通路を通過するメダルを１枚ずつ検知し、メダルを検知する毎に投入信号を出力する。
【００２４】
ベットスイッチ５ａ，５ｂは、クレジットされているメダルを投入するためのものである。ベットスイッチ５ａ，５ｂとしては、シングルベットスイッチ５ａ、とマックスベットスイッチ５ｂとが備えられている。シングルベットスイッチ５ａは、クレジットされているメダルを１枚ずつ投入する。マックスベットスイッチ５ｂは、１ゲーム当たりの最大投入枚数のメダルを投入する。
【００２５】
スタートスイッチ６は、リール９の回転を開始させる操作（開始操作）に用いるものである。本実施例では、レバー式スイッチが用いられており、レバーの傾動操作によって、３つのリール９が回転を開始する。
【００２６】
３つのストップスイッチ７は、リール９の回転を停止させる操作（停止操作）に用いるものである。各ストップスイッチ７は、個々のリール９に対応付けられており、ストップスイッチ７を押圧操作すると、対応したリール９が所定遅延時間内に停止するよう構成されている。
【００２７】
精算スイッチ８は、クレジットされているメダル、及び投入されたものの未だ遊技に用いられていないメダルを返却するためのものである。
【００２８】
設定変更スイッチ２５は、電源ボックス１８の設定キースイッチ２９とともに設定変更を行うためのものであり、前扉３の背面側に設けられている。
【００２９】
３つのリール９は、円筒形状をなしており、筐体内部で左右に並設される。各リール９の外周面には、「赤７」「ＢＡＲ」「チェリー」「ベル」「スイカ」「リプレイ」などの図柄が合計２１個配されている。各リール９はステッピングモータ３０を備えており、各ステッピングモータ３０によって３つのリール９を回転させることで、外周面の図柄を表示窓４で変動表示させ、各ステッピングモータ３０によってリール９を任意の角度で停止させることで、表示窓４に外周面の図柄を選択的に停止表示させ得るよう構成されている。ここで、表示窓４には、中央部分を横断する一本の有効ラインが設定されており、３つのリール９が停止した状態で、各リール９の図柄のいずれか一つが有効ライン上に停止表示されるよう構成されている。
【００３０】
ホッパーユニット１９はメダルを払い出すためのものであり、メダルを貯留するタンクと、タンクのメダルを払出口に向けて送り出す送出機構とを備えている。送出機構は、駆動源となるモータ３１と、送出されるメダルを検出するための払出センサ３２とを備えている。
【００３１】
外部端子板２６は、遊技情報（投入・払出情報、遊技履歴情報、エラー情報など）を外部出力し、遊技場設備によってスロットマシン１の大当り履歴などの情報を閲覧可能とするものである。
【００３２】
サブ制御装置２１は、ＣＰＵ、ＲＡＭ、ＲＯＭ等を配設したプリント基板によって構成されるものであり、主に遊技の進行に合わせて演出の制御を行う。サブ制御装置２１のＲＯＭには、多岐に亘る演出パターンに関する固定データが記憶されており、後述するデモ演出や画素チェック演出等の演出パターンに関する固定データも、このサブ制御装置２１のＲＯＭに記憶される。サブ制御装置２１の入力ポートには、メイン制御装置２０が接続され、メイン制御装置２０から役抽選結果などの遊技情報が随時通知される。また、サブ制御装置２１の入力ポートには、演出ボタンユニット１３も接続される。サブ制御装置２１の出力ポートには、スピーカ１１や演出用ランプ１２、画像制御装置２２、遮蔽部移動装置４０が接続される。
【００３３】
サブ制御装置２１は、メイン制御装置２０から送信される遊技情報等に基づいて、演出パターンを選択し、選択した演出パターンを実行させるために、出力ポートから各種の信号を送信する。具体的には、スピーカ１１や演出用ランプ１２にコマンドを送信し、さらには、画像表示部１４に所要の画像を表示させるために画像制御装置２２にコマンドを送信する。また、サブ制御装置２１は、遮蔽部材３５の移動を伴う演出パターンを実行すると決定した場合は、当該演出を実現するために、所要のタイミングで遮蔽部移動装置４０を作動させる。具体的には、サブ制御装置２１は、ボールねじアクチュエータのステッピングモータを制御することで、所要のタイミングで遮蔽部材３５を所定速度で移動させ、所要位置で停止させる。すなわち、本発明に係る遮蔽部制御手段は、サブ制御装置２１により構成される。
【００３４】
画像制御装置２２は、ＣＰＵ、ＲＡＭ、ＲＯＭ等を配設したプリント基板によって構成されるものであり、画像表示器１０（液晶表示モジュール１５）の表示制御を実行する。画像制御装置２２のＲＯＭには、画像表示部１４に表示する演出用画像を生成するためのデータが多量に記憶される。すなわち、後述するデモ演出や画素チェック演出等で画像表示部１４に表示する画像を生成するためのデータも、画像制御装置２２のＲＯＭに記憶される。画像制御装置２２は、サブ制御装置２１からコマンドを受信すると、ＣＰＵにおいて演算処理し、演出用画像のデータをＲＡＭに書きこんで液晶表示モジュール１５に出力し、サブ制御装置２１が選択した演出パターン通りの演出用画像を画像表示部１４に表示させる。すなわち、本発明に係る表示制御手段は、主にサブ制御装置２１及び画像制御装置２２によって構成される。
【００３５】
以下に、スロットマシン１で実行される演出について説明する。
本実施例のスロットマシン１の遊技では、スタートスイッチ６の操作によってリール９を回転させて図柄を変動表示させた後に、ストップスイッチ７の操作によってリール９を停止させて図柄を有効ライン上に停止表示させ、有効ライン上に停止表示された図柄組合せに応じた処理を行うゲームが繰り返し実行される。そして、スロットマシン１は、かかる遊技に合わせて、遊技を盛り上げる演出を実行する。具体的には、画像表示器１０の画像表示部１４に様々な演出画像を表示するとともに、スピーカ１１から効果音を出力し、演出用ランプ１２を様々な態様で点灯させる。また、一部の演出では、遮蔽部３７によって画像表示部１４を部分的に遮蔽することで、画像表示部１４の表示画像と、遮蔽部３７による画像表示部１４の遮蔽とを組み合わせた演出を実行する。
【００３６】
また、スロットマシン１は、遊技操作が行われない状態が一定時間以上継続すると、遊技操作が行われるまで客待ち状態となる。スロットマシン１は、客待ち状態においては、客待ち用のデモ演出を繰返し実行する。具体的には、デモ演出では、予め設定されたデモ動画を画像表示部１４に表示するとともに、当該デモ動画に合わせた音声演出、ランプ演出を実行する。そして、本実施例では、客待ち状態におけるデモ演出のインターバルには、液晶表示モジュール１５のドット抜けを容易に目視確認可能な画素チェック演出を実行する。
【００３７】
「ドット抜け」とは、液晶表示モジュール１５の画素の異常発光である。本実施例の液晶表示モジュール１５は、縦横に配列された１つ１つの画素が、バックライトの光により赤色、緑色、青色の３色で発光可能なサブピクセルで構成されており、各サブピクセルの発光状態を制御して、各サブピクセルの光を混色させることにより、個々の画素の色を制御して画像を表示するよう構成されている。ドット抜けは、１つ以上のサブピクセルが不具合によって発光停止不能や発光不能になった状態であり、ドット抜けの生じた画素（以下、「ドット抜け画素」とも称す。）は、制御どおりの色では発光しなくなる。例えば、液晶表示モジュール１５において、サブピクセルを発光停止不能なドット抜け画素（いわゆる「輝点」）が生じた場合は、各サブピクセルの発光を停止させて当該画素が黒色になるよう制御しても、当該画素は、黒色でなく、発光停止不能なサブピクセルの色となる。また、サブピクセルを発光不能なドット抜け画素（いわゆる「黒点」）が生じた場合は、全てのサブピクセルを発光させて当該画素が白色になるよう制御しても、当該画素は、白色から、発光不能なサブピクセルの光を減色した色となる。
【００３８】
本実施例のスロットマシン１では、液晶表示モジュール１５のドット抜けの検査が必要な場合は、検査者（遊技場のスタッフ等）は、客待ち状態の画素チェック演出において容易に目視確認することができる。画素チェック演出は、ドット抜け画素を黒色の単色画像によって目視確認するための前半演出と、ドット抜け画素を白色の単色画像によって目視確認するための後半演出とからなる１０秒足らずの演出である。上述のように、ドット抜け画素の色は制御不能であるため、かかる単色画像にドット抜け画素が含まれていれば、当該画素は周囲の色と異なる色で発光するため、比較的容易にドット抜け画素を発見できる。なお、黒色と白色の２色の単色画像で目視確認するのは、黒点は黒色の単色画像では発見し難く、輝点は白色の単色画像では発見し難いためである。
【００３９】
以下に、図４，５を参照して、画素チェック演出について詳細に説明する。
まず、図４（ａ）は、デモ演出の終了時、すなわち、画素チェック演出の開始直前の画像表示部１４等の様子を示したものである。かかる状態では、サブ制御装置２１は、デモ演出において表示するデモ動画の終了時画像５０を画像表示部１４の全域に表示するとともに、遮蔽部材３５を左方位置Ｐに保持して、遮蔽部３７を画像表示部１４の左方に退避させている。
【００４０】
画素チェック演出の前半演出では、サブ制御装置２１は、図４（ａ）→４（ｂ）→４（ｃ）→４（ｄ）→５（ａ）の流れに示すように、遮蔽部材３５を左方位置Ｐから右方位置Ｑまで移動させるとともに、画像表示部１４の、遮蔽部３７の左端部３７ａが退避した後の領域に、上下に亘る黒色の単色画像５１を表示する。具体的には、サブ制御装置２１は、遮蔽部材３５を左方位置Ｐから所定速度で右方に定速移動させて、約３秒間かけて右方位置Ｑまで移動させる制御処理を行う。上述のように、遮蔽部３７は、画像表示部１４よりも縦に長く、横に短いため、遮蔽部材３５の移動に伴って、遮蔽部３７は、画像表示部１４を一定の横幅で上下に亘って遮蔽しながら所定速度で横切ることとなる。一方で、サブ制御装置２１は、遮蔽部材３５の移動制御と並行して、画像表示部１４の、遮蔽部３７に遮蔽された領域の表示画像を、デモ動画の終了時画像５０から黒色の単色画像５１に変更する制御処理を行う。かかる移動制御処理と表示制御処理により、前半演出では、画像表示部１４の終了時画像５０の正面側を遮蔽部３７が通過した後に、黒色の単色画像５１が表れることとなる。前半演出は、遮蔽部３７が画像表示部１４の正面側を横切って、遮蔽部材３５が右方位置Ｑまで移動した時点で終了し、前半演出の終了時点では、図５（ａ）に示すように、画像表示部１４の全域に黒色の単色画像５１が表示されることとなる。そして、サブ制御装置２１は、前半演出が終了すると、後半演出を開始させる。
【００４１】
画素チェック演出の後半演出では、サブ制御装置２１は、図５（ａ）→５（ｂ）→５（ｃ）→５（ｄ）の流れに示すように、遮蔽部材３５を右方位置Ｑから左方位置Ｐまで移動させるとともに、画像表示部１４の、遮蔽部３７の右端部３７ｂが退避した後の領域に、上下に亘る白色の単色画像５２を表示する。遮蔽部材３５の移動制御処理は、前半演出の移動制御処理を左右に反転したものであり、後半演出では、遮蔽部３７は、画像表示部１４を一定の横幅で上下に亘って遮蔽しながら、前半演出とは逆方向に横切ることとなる。一方で、サブ制御装置２１は、遮蔽部材３５の移動制御と並行して、画像表示部１４の、遮蔽部３７に遮蔽された領域の表示画像を、黒色の単色画像５１から白色の単色画像５２に変更する制御処理を行う。かかる移動制御処理と表示制御処理により、後半演出では、黒色の単色画像５１の正面側を遮蔽部３７が通過した後に、白色の単色画像５２が表れることとなる。後半演出は、遮蔽部３７が画像表示部１４の正面側を横切って、遮蔽部材３５が左方位置Ｐまで移動した時点で終了し、後半演出の終了時点では、図５（ｄ）に示すように、画像表示部１４の全域に白色の単色画像５２が表示される。そして、サブ制御装置２１は、後半演出が終了すると、次のデモ演出を開始することとして、画像表示部１４にデモ動画を表示する。
【００４２】
本実施例の液晶表示モジュール１５にドット抜けが発生している場合には、ドット抜け画素を含む領域に単色画像５１，５２を表示した時に、当該ドット抜け画素が周囲の画素の黒色とは異なる色で表れるため、当該ドット抜け画素を発見することができる。なお、上述のように、ドット抜け画素のうち、サブピクセルを発光停止不能な輝点については黒色の単色画像５１において視認され、サブピクセルが常時消灯する黒点に関しては白色の単色画像５２において視認される。
【００４３】
特に、本実施例の画素チェック演出では、単色画像５１，５２を画像表示部１４の全域に一度に表出させるのでなく、遮蔽部３７の通過後の領域に時間をかけて表出させるため、図６に示すように、遮蔽部３７の端部３７ａが退避した後の一定幅の領域４２を、ドット抜け画素の探索領域として注視していけば、画像表示部１４の全域についてドット抜けの有無を漏れなくチェックできるという利点がある。また、このように遮蔽部３７の端部３７ａが退避した後の領域を探索領域４２として設定すれば、遮蔽部３７の端部３７ａを探索領域４２の位置を特定する目印として利用できるため、検査者は探索領域４２の範囲を正確に把握できる。また、画素チェック演出においては、画像表示部１４の正面側を遮蔽部３７が一定速度で移動することにより、遮蔽部３７の背面側から単色画像５１，５２が単位時間あたりに一定面積ずつ表れるため、検査者はドット抜けを一定のペースで確認できるという利点がある。
【００４４】
また、本実施例の画素チェック演出では、画像表示部１４にドット抜け画素４５が存在していた場合、当該ドット抜け画素４５は、図６（ａ）に示すように、遮蔽部３７に遮蔽されて視認不能な状態から、図６（ｂ）に示すように、検査者が注視する探索領域４２に突然表れることとなるため、検査者の目に止まりやすく、見落とされ難いという利点がある。
【００４５】
また、本実施例の画素チェック演出によれば、検査者（遊技場のスタッフ等）が液晶表示モジュール１５のドット抜けを容易に目視確認することができるが、特に意識しない遊技者には、他の演出と特段変わらぬ演出として受け入れられるため、客待ち状態において画素チェック演出を繰返し実行しても、遊技者の興を削ぐおそれはない。
【実施例２】
【００４６】
本実施例は、実施例１から、画素チェック演出の内容を変更したものである。画素チェック演出の内容以外は実施例１と共通であるため、以下では本実施例に係る画素チェック演出の内容についてのみ説明し、実施例１と共通する構成については同一符号を付して詳細な説明を省略する。
【００４７】
本実施例の画素チェック演出は、実施例１から、遮蔽部３７の通過後に表示する単色画像の表示態様を変更したものである。具体的には、実施例１に係る画素チェック演出では、画像表示部１４の、遮蔽部３７の端部３７ａ，３７ｂが退避した後の領域全体に単色画像５１，５２を表示するところ（図４，５参照）、本実施例に係る画素チェック演出では、遮蔽部３７の端部が退避した後の領域に、一定幅の単色画像を、遮蔽部３７の端部に追従するように移動表示する。詳述すると、本実施例の画素チェック演出の前半演出では、図７（ａ）→７（ｂ）→７（ｃ）→７（ｄ）の流れに示すように、サブ制御装置２１は、遮蔽部材３５を左方位置Ｐから右方位置Ｑに所定速度で定速移動させる。遮蔽部材３５の移動制御は、実施例１の前半演出と同様である。一方、本実施例では、サブ制御装置２１は、図７に示すように、デモ動画の終了時画像５０が表示された画像表示部１４の正面側を遮蔽部３７が左から右に横切るのに合わせて、一定幅（約２ｃｍ）の黒色の単色画像５１を、遮蔽部３７の左端部３７ａに追従するよう右方に所定速度で移動表示する処理を実行する。さらに、サブ制御装置２１は、黒色の単色画像５１を移動表示した後の領域に、デモ動画の終了時画像５０を再表示する処理を実行する。このため、かかる前半演出では、遮蔽部材３５が右方位置Ｑまで移動した時点で、画像表示部１４の全域にデモ動画の終了時画像５０が表示される（図７（ｄ）参照）。
【００４８】
また、図示は省略するが、本実施例の画素チェック演出の後半演出では、前半演出と同様に、サブ制御装置２１は、遮蔽部材３５を右方位置Ｑから左方位置Ｐに移動させる制御処理を実行するとともに、デモ動画の終了時画像５０が表示された画像表示部１４の正面側を遮蔽部３７が左方に横切るのに合わせて、一定幅の白色の単色画像を、遮蔽部３７の右端部に追従するように移動表示し、さらに、白色の単色画像を移動表示した後の領域に、デモ動画の終了時画像５０を再表示する処理を実行する。
【００４９】
このように、本実施例の画素チェック演出では、遮蔽部３７の端部３７ａに追従するように、一定幅の単色画像５１が表示されるため、図８に示すように、当該一定幅の単色画像５１を、ドット抜け画素４５の探索領域４２として設定すれば、検査者は、探索領域４２の範囲を実施例１よりも正確に把握可能となる。したがって、本実施例の画素チェック演出によれば、ドット抜け画素の見落としや、確認部位の重複をより確実に防止できる。
【実施例３】
【００５０】
本実施例は、実施例２から、画素チェック演出の内容を変更したものである。このため、以下では本実施例に係る画素チェック演出の内容についてのみ説明し、実施例１，２と共通する構成については同一符号を付して詳細な説明を省略する。
【００５１】
実施例２の画素チェック演出では、遮蔽部３７の端部３７ａに追従するように、一定幅の単色画像５１を表示し、さらに、一定幅の単色画像５１を移動表示した後の領域に、デモ動画の終了時画像５０を再表示している（図７参照）。これに対して、本実施例の画素チェック演出では、図９に示すように、サブ制御装置２１は、一定幅の黒色の単色画像５１を移動表示した後の領域に、白色の単色画像５２を表示する。具体的には、本実施例の画素チェック演出では、サブ制御装置２１は、図９（ａ）→９（ｂ）→９（ｃ）→９（ｄ）の流れに示すように、遮蔽部材３５を左方位置Ｐから右方位置Ｑに所定速度で定速移動させる。遮蔽部材３５の移動制御は、実施例１の前半演出と同様である。一方、サブ制御装置２１は、図９に示すように、デモ動画の終了時画像５０が表示された画像表示部１４の正面側を遮蔽部３７が左から右に横切るのに合わせて、一定幅（約２ｃｍ）の黒色の単色画像５１を、遮蔽部３７の左端部３７ａに追従するよう右方に所定速度で移動表示し、さらに、黒色の単色画像５１を移動表示した後の領域に、白色の単色画像５２を表示する処理を実行する。このため、かかる画素チェック演出では、遮蔽部材３５が右方位置Ｑまで移動した時点で、画像表示部１４の全域に白色の単色画像５２が表示される（図９（ｄ）参照）。
本実施例の画素チェック演出では、遮蔽部材３５を左方位置Ｐから右方位置Ｑに移動させるまでの間に、画像表示部１４に黒色の単色画像５１と白色の単色画像５２を表示するため、サブ制御装置２１は、遮蔽部材３５を右方位置Ｑに移動させた段階で画素チェック演出を終了し、次のデモ演出を開始する。
【００５２】
このように、本実施例の画素チェック演出では、右方位置Ｑへ一定速度で移動する遮蔽部３７の左端部３７ａを追従するように一定幅の黒色の単色画像５１が画像表示部１４に移動表示され、さらに、黒色の単色画像５１を移動表示した後の領域に、白色の単色画像５２が表示される。このため、かかる画素チェック演出では、検査者は、図１０に示すように、遮蔽部３７の左端部３７ａが退避した後の一定幅の領域を、ドット抜け画素４５，４６を探索する探索領域４２として注視すれば、黒色の単色画像５１で発見可能なドット抜け画素（輝点）４５と、白色の単色画像５２で発見可能なドット抜け画素（黒点）４６とを同時にチェックできる。したがって、本実施例に係る画素チェック演出では、実施例１，２に係る画素チェック演出に比べて短時間で効率的にドット抜けのチェックを行うことができる。
【実施例４】
【００５３】
本実施例は、実施例１から、画像表示器１０に係る構成及び演出を変更したものである。このため、以下では、実施例１と共通する構成については同一符号を付して詳細な説明を省略する。
【００５４】
本実施例のスロットマシン１ａは、図１１に示すように、遮蔽部材４７が上部装飾パネル３４に固定され、画像表示器１０が上部装飾パネル３４に対して上下方向に移動可能に配設される。具体的には、画像表示器１０は、上部装飾パネル３４に形成された上下方向の摺動溝３９に対して枠体１６が摺動可能に保持されており、図１２に示すように、前扉３の上端部近くの上方位置Ｒから、前扉３の中央部近くの下方位置Ｓまで上下動可能となっている。なお、上方位置Ｒから下方位置Ｓまでの移動距離は、画像表示部１４の縦幅より大きくなっている。
【００５５】
遮蔽部材４７は、上部装飾パネル３４の正面側に位置する正面視横長矩形状の遮蔽部４８と、遮蔽部４８の左端部及び右端部で、上部装飾パネル３４に固定された固定端部４９とで構成される。図１２に示すように、遮蔽部４８の横幅は、画像表示部１４よりも長く、縦幅は画像表示部１４の１／４程度である。遮蔽部４８は、上方位置Ｒの画像表示器１０の画像表示部１４と、下方位置Ｓの画像表示器１０の画像表示部１４の間に配置されており、画像表示器１０の上方位置Ｒでは、画像表示部１４の全域が遮蔽部４８の上方に位置し、下方位置Ｓでは画像表示部１４の全域が遮蔽部４８の下方に位置し、上方位置Ｒと下方位置Ｓの間では、画像表示部１４の縦幅の１／４程度の領域が遮蔽部４８によって左右に亘って遮蔽される。
【００５６】
上部装飾パネル３４の背面側には、画像表示器１０を摺動溝３９に沿って上下動させる表示器移動装置４１が配設される。表示器移動装置４１は、ボールねじとリニアガイドとサーボモータとを具備してなるボールねじアクチュエータであり、上部装飾パネル３４の背面側で、枠体１６を上下に動かすことにより、画像表示器１０を上方位置Ｒと下方位置Ｓの間で移動させ、上方位置Ｒと下方位置Ｓの間の任意の位置で保持する。なお、かかる表示器移動装置４１は、実施例１に係る遮蔽部移動装置４０と同様にサブ制御装置２１に接続されており、サブ制御装置２１が、表示器移動装置４１を介して、画像表示器１０の位置を制御するよう構成されている。すなわち、本発明に係る表示器移動制御手段は、サブ制御装置２１によって構成される。
【００５７】
本実施例にあっても、客待ち状態において、デモ演出のインターバルに、検査者が、液晶表示モジュール１５のドット抜けを容易に目視確認できる画素チェック演出が実行される。ここで、本実施例に係る画素チェック演出では、以下のように画像表示器１０の移動制御とともに、画像表示部１４に単色画像５１，５２を表示する。なお、本実施例の画素チェック演出も、ドット抜け画素を黒色の単色画像５１によって目視確認するための前半演出と、ドット抜け画素を白色の単色画像５２によって目視確認するための後半演出とからなる１０秒足らずの演出である。
【００５８】
図１３（ａ）は、デモ演出の終了時、すなわち、画素チェック演出の開始直前の画像表示部１４等の様子を示したものである。かかる状態では、サブ制御装置２１は、デモ演出において表示するデモ動画の終了時画像５０を画像表示部１４の全域に表示するとともに、画像表示器１０を上方位置Ｒに保持している。
【００５９】
画素チェック演出の前半演出では、サブ制御装置２１は、図１３（ａ）→１３（ｂ）→１３（ｃ）→１３（ｄ）の流れに示すように、画像表示器１０を上方位置Ｒから下方位置Ｓまで移動させるとともに、画像表示部１４の、遮蔽部４８の下端部４８ａから退避した後の領域に、左右に亘る黒色の単色画像５１を表示する。具体的には、サブ制御装置２１は、画像表示器１０を上方位置Ｒから所定速度で下方に定速移動させて、約３秒間かけて下方位置Ｓまで移動させる制御処理を行う。これにより、画像表示部１４は、遮蔽部４８によって一定の縦幅で左右に亘って遮蔽されながら、遮蔽部４８の背面側を所定速度で通過することとなる。一方で、サブ制御装置２１は、画像表示器１０の移動制御と並行して、画像表示部１４の、遮蔽部４８に遮蔽された領域の表示画像を、デモ動画の終了時画像５０から黒色の単色画像５１に変更する制御処理を行う。かかる移動制御処理と表示制御処理により、前半演出では、画像表示部１４の、遮蔽部４８の背面側を通過した後の領域に、黒色の単色画像５１が表れることとなる。前半演出は、画像表示部１４の全域が遮蔽部４８の背面側を通過して、下方位置Ｓまで移動した時点で終了する。このため、前半演出の終了時点では、図１３（ｄ）に示すように、画像表示部１４の全域に黒色の単色画像５１が表示される。そして、サブ制御装置２１は、前半演出が終了すると、後半演出を開始させる。
【００６０】
図示は省略するが、本実施例の画素チェック演出の後半演出では、サブ制御装置２１は、遮蔽部材４７を下方位置Ｓから上方位置Ｒに移動させる制御処理を実行するとともに、当該移動制御処理により、画像表示部１４が、遮蔽部４８の背面側を上方に通過するのに合わせて、画像表示部１４の、遮蔽部４８の上端部から退避した後の領域に、左右に亘る白色の単色画像５２を表示する処理を実行する。
【００６１】
本実施例の画素チェック演出では、画像表示部１４が遮蔽部４８の背面側を通過するのに合わせて、通過後の領域に時間をかけて単色画像５１，５２を表出させるため、図１４に示すように、遮蔽部４８の端部４８ａから退避した後の一定幅の領域４２を、ドット抜け画素４５の探索領域として注視していけば、実施例１に係る画素チェック演出と同様に、画像表示部１４のドット抜けを容易に目視確認できる。特に、本実施例の画素チェック演出では、正面側から見た時に、遮蔽部４８が常に一定の高さに表示されるため、図１４に示すように、検査者が注視すべき探索領域４２の高さは、画像表示器１０の上下動に関わらず一定となる。このため、本実施例の画素チェック演出では、検査者は視点を上下動させることなく、ドット抜けの有無を容易に目視確認できるという利点がある。
【実施例５】
【００６２】
本実施例は、実施例４から、画像表示器１０に係る構成及び演出を変更したものである。このため、以下では、実施例４と共通する構成については同一符号を付して詳細な説明を省略する。
【００６３】
図１５に示すように、本実施例では、実施例４と同様に、画像表示器１０が上方位置Ｒから下方位置Ｓまで移動可能となっている。一方で、本実施例は、実施例４に係る遮蔽部材４７（図１２参照）を具備しておらず、画像表示器１０を上下動させても、画像表示部１４が遮蔽されない。
【００６４】
本実施例にあっても、客待ち状態において、デモ演出のインターバルに、検査者が、液晶表示モジュール１５のドット抜けを容易に目視確認できる画素チェック演出が実行される。ここで、本実施例は、遮蔽部材を具備していないため、本実施例に係る画素チェック演出では、以下のように画像表示器１０の上下動に伴って、画像表示部１４において単色画像５１，５２とその他の画像５０，５３を上下に分割表示する。なお、本実施例の画素チェック演出も、ドット抜け画素を黒色の単色画像５１によって目視確認するための前半演出と、ドット抜け画素を白色の単色画像５２によって目視確認するための後半演出とからなる。
【００６５】
図１５（ａ）は、デモ演出の終了時、すなわち、画素チェック演出の開始直前の画像表示部１４等の様子を示したものである。かかる状態では、サブ制御装置２１は、デモ演出において表示するデモ動画の終了時画像５０を画像表示部１４の全域に表示するとともに、画像表示器１０を上方位置Ｒに保持している。
【００６６】
画素チェック演出の前半演出では、サブ制御装置２１は、図１５（ａ）→１５（ｂ）→１５（ｃ）→１５（ｄ）の流れに示すように、画像表示器１０を上方位置Ｒから下方位置Ｓまで所定速度で定速移動させる制御処理を実行する。また、かかる前半演出では、上方位置Ｒの時の画像表示部１４と、下方位置Ｓの時の画像表示部１４の間の所定高さに画像境界ラインＴを設定し、画像表示部１４の、画像境界ラインＴよりも下方の領域に、黒色の単色画像５１を表示する制御を行う。具体的には、サブ制御装置２１は、画像表示器１０の移動制御と並行して、画像表示部１４の上側に終了時画像５０を、下側に黒色の単色画像５１を分割表示する。そして、終了時画像５０と単色画像５１との境界線が、画像表示部１４において、画像表示器１０の下降速度と同じ速さで上方移動するよう単色画像５１の表示範囲を上方に拡大させる表示制御を行う。かかる表示制御によれば、終了時画像５０と単色画像５１の境界線の上昇速度と、画像表示器１０の下降速度とが打ち消し合うことにより、図１５に示すように、正面側から見た時に、画像表示部１４が下降しているにも関わらず、終了時画像５０と単色画像５１の境界線が、画像境界ラインＴの上に固定的に表示され、画像表示部１４の、画像境界ラインＴを通過した領域に黒色の単色画像５１が表示される。そして、前半演出では、画像表示器１０が下方位置Ｓまで移動すると、図１５（ｄ）に示すように、画像表示部１４の全域が画像境界ラインＴを通過して、画像表示部１４の全域に黒色の単色画像５１が表示される。サブ制御装置２１は、図１５（ｄ）の時点で前半演出を終了して、後半演出を開始する。
【００６７】
画素チェック演出の後半演出では、サブ制御装置２１は、まず、図１６（ａ）に示すように、白色の単色画像５２を画像表示部１４の全域に表示する。そして、図１６（ａ）→１６（ｂ）→１６（ｃ）→１６（ｄ）の流れに示すように、画像表示器１０を下方位置Ｓから上方位置Ｒまで所定速度で定速移動させる制御処理を実行する。また、かかる後半演出では、前半演出と同じ高さに画像境界ラインＴを設定し、画像表示部１４の、画像境界ラインＴを通過した領域に、デモ動画の開始時画像５３を表示する制御を行う。具体的には、サブ制御装置２１は、画像表示器１０の移動制御と並行して、画像表示部１４の上側に開始時画像５３を、下側に白色の単色画像５２を分割表示する。そして、開始時画像５３と単色画像５２との境界線が、画像表示部１４において、画像表示器１０の上昇速度と同じ速さで下方移動するよう単色画像５２の表示範囲を下方に縮小させる表示制御を行う。かかる表示制御によれば、開始時画像５３と単色画像５２の境界線の下降速度と、画像表示器１０の上昇速度とが打ち消し合うことにより、図１６に示すように、正面側から見た時に、画像表示部１４が上昇しているにも関わらず、開始時画像５３と単色画像５２の境界線が、画像境界ラインＴの上に固定的に表示され、画像表示部１４の、画像境界ラインＴを通過した領域に開始時画像５３が表示される。そして、後半演出では、画像表示器１０が上方位置Ｒまで移動すると、図１６（ｄ）に示すように、画像表示部１４の全域が画像境界ラインＴを通過して、画像表示部１４の全域に開始時画像５３が表示される。そして、サブ制御装置２１は、かかる時点で画素チェック演出を終了して、次のデモ演出を開始する。
【００６８】
このように、本実施例の画素チェック演出では、黒色の単色画像５１と白色の単色画像５２とによってドット抜け画素の有無をチェックすることができる。特に、前半演出では、図１７（ａ）→１７（ｂ）に示すように、黒色の単色画像５１の表示範囲が画像表示器１０の下方移動に合わせて拡大するため、検査者は単色画像５１の、終了時画像５０との境界線付近を探索領域４２として注視していくことで、画像表示部１４の全域を漏れなくチェックできる。また、後半演出では、図１７（ｃ）→１７（ｄ）に示すように、白色の単色画像５２の表示範囲が画像表示器１０の上方移動に合わせて縮小するため、検査者は単色画像５２の、開始時画像５３との境界線付近を探索領域４２として注視していくことで、画像表示部１４の全域を漏れなくチェックできる。また、本実施例の画素チェック演出では、正面側から見た時に、単色画像５１，５２と他の画像５０，５３との境界線が常に一定の高さ位置（画像境界ラインＴ）に表示されるため、図１７に示すように、検査者が注視すべき探索領域４２の高さは、画像表示器１０の上下動に関わらず一定となる。このため、本実施例の画素チェック演出では、実施例４の画素チェック演出と同様に、検査者は視点を上下動させることなく、ドット抜けの有無を容易に目視確認できるという利点がある。
【００６９】
以上に本発明の実施例を説明したが、本発明の遊技機は、上記実施例の形態に限らず本発明の要旨を逸脱しない範囲内において種々変更を加えることができる。例えば、本発明はスロットマシンに限らず、パチンコ等の、他の遊技機にも適用可能である。
【００７０】
また、本発明に係る画像表示器は、液晶ディスプレイによって構成されるものに限られず、有機ＥＬディスプレイや無機ＥＬディスプレイ、投影型ディスプレイなどの、ドット抜けを生じる電子ディスプレイによって画像を表示するものであればよい。また、本発明に係る画像表示器は、モノクロ表示器であってもよい。
【００７１】
また、上記実施例に係る遮蔽部３７は、正面視横長矩形状の画像表示部１４よりも縦幅が広く、横幅が狭い正面視縦長矩形状であるが、本発明に係る遮蔽部の形状は適宜変更可能である。例えば、遮蔽部は、画像表示部の全域を遮蔽可能なものであってもよいし、遮蔽部の正面視形状は、矩形状に限られず、画像表示部を遮蔽する一端部が湾曲、屈曲していてもよい。また、本発明に係る遊技機は、本発明に係る遮蔽部以外にも、画像表示部を遮蔽可能な部材を具備していてもよい。また、上記実施例の遮蔽部３７は不透明であるが、本発明に係る遮蔽部は半透明であってもよい。
【００７２】
また、上記実施例に係る遮蔽部３７は、画像表示部１４を上下に亘って遮蔽しながら、左右に移動するよう構成されていたが、本発明に係る遮蔽部の移動方向は左右方向に限られない。例えば、遮蔽部は、画像表示部を左右に亘って遮蔽しながら上下に移動するものであってもよい。また、上記実施例では、画素チェック演出において、遮蔽部３７を、画像表示部１４の左方に退避する位置から、右方に退避する位置まで移動させるが、本発明に係る遮蔽部の移動制御処理は、画像表示部１４を退避する位置から、反対側まで移動させるものに限られず、画像表示部１４の所定領域を遮蔽する第１の位置から、画像表示部１４の別の領域を遮蔽する第２の位置まで移動させるものであってもよい。
【００７３】
また、上記実施例の画像表示部１４は矩形状であるが、本発明に係る画像表示部は、枠体によって非矩形状に形成されたものであってもよい。
【００７４】
また、上記実施例の画素チェック演出では、黒色の単色画像５１と白色の単色画像５２によってドット抜け画素の有無をチェックするが、本発明に係る「所定色の単色画像」の色は、黒色や白色に限られず、１つの画素を構成する各サブピクセルの色（赤色、緑色、青色）や、２種類のサブピクセルの色を混色させた色（シアン、マゼンタ、イエロー）から選択することも可能である。また、画素チェック演出で表示する単色画像は白色と黒色の２種類に限らず、３種類以上であってもよいし、１種類であってもよい。例えば、上記実施例３では、遮蔽部３７の端部３７ａに追従するように、一定幅の黒色の単色画像５１を表示し、一定幅の黒色の単色画像５１を移動表示した後の領域に、白色の単色画像５２を表示しているが（図９参照）、黒色の単色画像５１に替えて赤色の単色画像を表示するとともに、赤色の単色画像を移動表示した後の領域に、一定幅の緑色の単色画像を、赤色の単色画像に追従するように移動表示し、さらに、緑色の単色画像を移動表示した後の領域に、青色の単色画像を表示する構成としてもよい。かかる構成では、画素を構成する各サブピクセルの色で単色画像が表示されるため、１つの画素を構成するいずれのサブピクセルに不具合が生じているかが確認し易くなる。
【００７５】
また、上記実施例では、客待ち状態のデモ演出のインターバルに画素チェック演出を実行しているが、本発明に係る「所定契機」は、かかるタイミングに限られず適宜変更可能である。例えば、遊技機の電源投入直後に画素チェック演出を実行してもよい。また、演出ボタンユニットの特定操作によって、画素チェック演出の実行を任意のタイミングで指示できるようにしてもよい。
【符号の説明】
【００７６】
１，１ａ  スロットマシン（遊技機）
１０  画像表示器
１４  画像表示部
１５  液晶表示モジュール（電子ディスプレイ）
１６  枠体
２１  サブ制御装置
２２  画像制御装置
３４  上部装飾パネル
３５  遮蔽部材
３６  摺動溝
３７  遮蔽部
３８  摺動端部
３９  摺動溝
４０  遮蔽部移動装置
４１  表示器移動装置
４２  探索領域
４５  ドット抜け画素（輝点）
４６  ドット抜け画素（黒点）
５０  終了時画像
５１  黒色の単色画像
５２  白色の単色画像
５３  開始時画像
Ｐ  左方位置
Ｑ  右方位置
Ｒ  上方位置
Ｓ  下方位置
Ｔ  画像境界ライン
【図１】
2020025738.tif 000003
【図２】
2020025738.tif 000004
【図３】
2020025738.tif 000005
【図４】
2020025738.tif 000006
【図５】
2020025738.tif 000007
【図６】
2020025738.tif 000008
【図７】
2020025738.tif 000009
【図８】
2020025738.tif 000010
【図９】
2020025738.tif 000011
【図１０】
2020025738.tif 000012
【図１１】
2020025738.tif 000013
【図１２】
2020025738.tif 000014
【図１３】
2020025738.tif 000015
【図１４】
2020025738.tif 000016
【図１５】
2020025738.tif 000017
【図１６】
2020025738.tif 000018
【図１７】
2020025738.tif 000019
【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
電子ディスプレイにより画像表示部に画像を表示する画像表示器と、
前記画像表示部に表示する画像を制御する表示制御手段と、
前記画像表示部の正面側を移動可能に配設された遮蔽部と、
前記遮蔽部を移動させる遮蔽部移動装置と、
前記遮蔽部移動装置を制御する遮蔽部制御手段と
を備え、
前記電子ディスプレイは、個々の画素がバックライトの光により赤色、緑色、青色の３色で発光可能なサブピクセルで構成されており、
所定契機で、
前記遮蔽部制御手段が、前記遮蔽部の一端部で前記画像表示部を一側から他側に亘って遮蔽しつつ、当該一端部によって遮蔽された領域から前記遮蔽部が退避する方向に、前記遮蔽部を所定の速度で移動させる処理を実行するとともに、
前記表示制御手段が、前記画像表示部の、前記遮蔽部の前記一端部が退避した後の領域に、前記画像表示部の前記一側から前記他側に亘る白色又は黒色の単色画像を、前記遮蔽部の移動方向に対して一定の幅寸法で、前記遮蔽部の前記一端部に追従するように移動表示する処理を実行することを特徴とする遊技機。
【請求項２】
前記表示制御手段は、前記所定契機で、前記画像表示部の、前記単色画像を移動表示した後の領域に、前記単色画像の色とは異なる色の単色画像を表示する処理を実行することを特徴とする請求項１に記載の遊技機。
【手続補正２】
【補正対象書類名】明細書
【補正対象項目名】０００７
【補正方法】変更
【補正の内容】
【０００７】
本発明は、電子ディスプレイにより画像表示部に画像を表示する画像表示器と、前記画像表示部に表示する画像を制御する表示制御手段と、前記画像表示部の正面側を移動可能に配設された遮蔽部と、前記遮蔽部を移動させる遮蔽部移動装置と、前記遮蔽部移動装置を制御する遮蔽部制御手段とを備え、前記電子ディスプレイは、個々の画素がバックライトの光により赤色、緑色、青色の３色で発光可能なサブピクセルで構成されており、所定契機で、前記遮蔽部制御手段が、前記遮蔽部の一端部で前記画像表示部を一側から他側に亘って遮蔽しつつ、当該一端部によって遮蔽された領域から前記遮蔽部が退避する方向に、前記遮蔽部を所定の速度で移動させる処理を実行するとともに、前記表示制御手段が、前記画像表示部の、前記遮蔽部の前記一端部が退避した後の領域に、前記画像表示部の前記一側から前記他側に亘る白色又は黒色の単色画像を、前記遮蔽部の移動方向に対して一定の幅寸法で、前記遮蔽部の前記一端部に追従するように移動表示する処理を実行することを特徴とする遊技機である。なお、「単色画像」とは、各画素の色を所定色一色に制御する画像である。
【手続補正３】
【補正対象書類名】明細書
【補正対象項目名】０００９
【補正方法】変更
【補正の内容】
【０００９】
また、本発明では、遮蔽部の端部に追従する一定幅の単色画像を、ドット抜けの有無を確認する領域として設定すれば、検査者は、画像表示部において注視すべき範囲をより確実に把握可能となるため、ドット抜けの画素の見落としや、確認部位の重複をより確実に防止可能となる。
【手続補正４】
【補正対象書類名】明細書
【補正対象項目名】００１０
【補正方法】変更
【補正の内容】
【００１０】
また、上記構成とした場合には、前記表示制御手段は、前記所定契機で、前記画像表示部の、前記単色画像を移動表示した後の領域に、前記単色画像の色とは異なる色の単色画像を表示する処理を実行することが提案される。